(57)【要約】【課題】押下操作における初期動作の操作性を向上できるキースイッチ装置を提供する。【解決手段】操作面を有するキートップと、互いに連動してキートップを昇降させる一対のリンク部材と、一対のリンク部材を回動可能に固定するフレーム部材と、キートップの裏面側に形成され、リンク部材に設けられた摺動部が摺動可能に嵌入されるガイド部とを有し、ガイド部は、上辺部と、上辺部から下垂する下垂辺と、下垂辺からキートップ押下時の摺動部の移動方向へ延在する下辺部とを有しており、上辺部は、押下方向と直交する方向に対して、押下側に傾斜している。【選択図】図４
2018166041.tif 000002
【特許請求の範囲】
【請求項１】
操作面を有するキートップと、
互いに連動して前記キートップを昇降させる一対のリンク部材と、
前記一対のリンク部材を回動可能に固定するフレーム部材と、
前記キートップの裏面側に形成され、前記リンク部材に設けられた摺動部が摺動可能に嵌入されるガイド部と
を有し、
前記ガイド部は、
上辺部と、当該上辺部から下垂する下垂辺と、当該下垂辺から前記キートップ押下時の前記摺動部の移動方向へ延在する下辺部とを有しており、前記上辺部は、押下方向と直交する方向に対して、押下側に傾斜していることを特徴とするキースイッチ装置。
【請求項２】
操作面を有するキートップと、
互いに連動して前記キートップを昇降させる一対のリンク部材と、
前記一対のリンク部材を回動可能に固定するフレーム部材と、
前記キートップの裏面側に形成され、前記リンク部材に設けられた摺動部が摺動可能に嵌入されるガイド部と
を有し、
前記ガイド部は、
上辺部と、当該上辺部ら押下方向へ下垂する下垂辺と、当該下垂辺から前記キートップ押下時の前記摺動部の移動方向へ延在する下辺部とを有しており、前記上辺部は、押下方向と直交する方向に対して、押下側に湾曲していることを特徴とするキースイッチ装置。
【請求項３】
前記上辺部の傾斜角度は、
前記キートップが押下されていない状態における前記リンク部材の腕部の傾斜角度と同じであることを特徴とする請求項１に記載のキースイッチ装置。
【請求項４】
請求項１乃至３の何れか一項に記載のキースイッチ装置が複数配列されていることを特徴とするキーボード。
【発明の詳細な説明】
【技術分野】
【０００１】
本発明は、キースイッチ装置及びキーボードに関する。
【背景技術】
【０００２】
一対のリンク部材が互いに連動可能に組み合わされたギアリンク構造を有するキースイッチ装置が知られている（特許文献１参照）。
【０００３】
図１３（Ａ）は従来のキースイッチ装置１００の断面図である。図１３（Ｂ）は図１３（Ａ）の箇所Ｍの部分拡大図である。図１３（Ａ）に示すように、キースイッチ装置１００は、キートップ１０１と、キートップ１０１を支持し連動してキートップ１０１を昇降させるリンク部材１０２と、メンブレンシート１０３と、支持板１０４と、リンク部材１０２を支持板１０４に取り付けるフレーム１０５とを備えている。
【０００４】
更に、キートップ１０１の裏面には、リンク部材１０２に設けられた摺動部１２０を摺動可能に係合して、リンク部材１０２の昇降をガイドするガイド部１１０が設けられている。
【先行技術文献】
【特許文献】
【０００５】
【特許文献１】特開２０１６−３５８２１号公報
【発明の概要】
【発明が解決しようとする課題】
【０００６】
ガイド部１１０は、図１３（Ａ）、（Ｂ）に示すように、上辺部１１０ａと、上辺部１１０ａから下垂する垂直辺１１０ｂと、垂直辺１１０ｂから直交する方向へ延在する水平片１１０ｃとを有し、コ字状に形成されている。摺動部１２０は、キースイッチ装置１００が押下操作されていないときには、その外周面が少なくとも垂直辺１１０ｂ、水平片１１０ｃと接触し、上辺部１１０ａとは押下操作がなされると接触する。
【０００７】
キートップが押下操作されると、摺動部１２０は矢印Ｘ１方向へ移動する。押下操作の初期動作の際、摺動部１２０と上辺部１１０ａとには、キートップ１０１からリンク部材１０２へ伝わる操作力Ｓと、リンク部材１０２の移動方向の力Ｊが作用している。
【０００８】
上辺部１１０ａと水平片１１０ｃとは水平方向に延在しているため、キートップの降下時に摺動部１２０とガイド部１１０とに作用する操作力Ｓの向きと力Ｊの向きが大きくズレてしまう。
【０００９】
したがって、摺動部１２０はガイド部１１０内をスムーズに移動することができなくなり、キースイッチ装置１００の押下初期時につっぱり感が生じて操作性が悪くなるという問題があった。
【００１０】
本発明は、上記課題に鑑み、押下操作における初期動作の操作性を向上できるキースイッチ装置を提供することにある。
【課題を解決するための手段】
【００１１】
本発明は、操作面を有するキートップと、
互いに連動して前記キートップを昇降させる一対のリンク部材と、
前記一対のリンク部材を回動可能に固定するフレーム部材と、
前記キートップの裏面側に形成され、前記リンク部材に設けられた摺動部が摺動可能に嵌入されるガイド部と
を有し、
前記ガイド部は、
上辺部と、当該上辺部から下垂する下垂辺と、当該下垂辺から前記キートップ押下時の前記摺動部の移動方向へ延在する下辺部とを有しており、前記上辺部は、押下方向と直交する方向に対して、押下側に傾斜している。
【発明の効果】
【００１２】
開示の技術によれば、押下操作における初期動作の操作性を向上できるキースイッチ装置を提供できる。
【図面の簡単な説明】
【００１３】
【図１】第１の実施形態に係るキースイッチ装置の分解斜視図である。
【図２】図１のＩ−Ｉ線におけるキースイッチ装置の断面図である。
【図３】図１のキースイッチ装置が装着されたキーボードの構成図である。
【図４】図２の箇所Ｍの拡大断面図である。
【図５】第１の実施形態に係るキースイッチ装置の押下操作初期時のガイド部と摺動部の状態と、作用する力を説明した図である。
【図６】第１の実施形態に係るキースイッチ装置の押下操作途中時のガイド部と摺動部の状態と、作用する力を説明した図である。
【図７】第１の実施形態に係るキースイッチ装置の押下操作終了時（押切時）のガイド部と摺動部の状態と、作用する力を説明した図である。
【図８】第２の実施形態に係るキースイッチ装置を説明する部分拡大図である。
【図９】第２の実施形態に係るキースイッチ装置の押下操作初期時のガイド部と摺動部の状態と、作用する力を説明した図である。
【図１０】第２の実施形態に係るキースイッチ装置の押下操作途中時のガイド部と摺動部の状態と、作用する力を説明した図である。
【図１１】第２の実施形態に係るキースイッチ装置の押下操作終了時のガイド部と摺動部の状態と、作用する力を説明した図である。
【図１２】キートップの端部を押下操作した場合の押下操作初期時のガイド部と上辺部とに作用する力を説明する図である。
【図１３】従来のキースイッチ装置を説明する図である。
【発明を実施するための形態】
【００１４】
以下、図面を参照して発明を実施するための形態について説明する。なお、各図面において、同一構成部分には同一符号を付し、重複した説明を省略する場合がある。
【００１５】
［第１の実施形態］
図１は、第１の実施形態に係るキースイッチ装置１の分解斜視図である。図２は、図１のＩ−Ｉ線におけるキースイッチ装置の断面図である。図３は、図１のキースイッチ装置が装着されたキーボードの構成図である。
【００１６】
図１に示すキースイッチ装置１は、操作者が押し下げる操作面２ａを有するキートップ２と、キートップ２を支持すると共に、互いに連動してキートップ２を鉛直方向へ昇降させる一対のリンク部材３と、２枚のシート基板とスイッチとして機能する接点（不図示）を含むメンブレンシート４と、支持板５と、リンク部材３を支持板５上に取り付けるフレーム部材６と、を備えている。
【００１７】
図３に示すキーボード７は、キースイッチ装置１が複数配列されている。キーボード７には、各キーに対応した孔７ａが形成されている。図３では、孔７ａが実線で示され、孔上に配置されるキートップ２が点線で示されている。孔７ａのサイズは、その孔上に配置されるキートップ２のサイズよりも大きい。
【００１８】
メンブレンシート４及び支持板５は、キーボード７の全てのキースイッチ装置１に対して共通する大判のメンブレンシート及び支持板として形成されている。キートップ２、リンク部材３及びフレーム部材６は、キースイッチ装置１毎に別々に設けられている。
【００１９】
図２に示すように、キートップ２は表面側（矢印Ｙ１側）に操作面２ａを有している。操作面２ａは押下側（矢印Ｙ２側）に湾曲する形状に形成されている。キートップ２の裏面には、後述するリンク部材３の摺動部３１を水平方向に摺動可能に案内し且つ離脱可能に嵌入する、一側に開口部を有するガイド部２１が形成されている。
【００２０】
ガイド部２１は、詳しくは後述するが、上辺部２１ａが中心軸Ｋ方向に向かって押下側に傾斜している。
【００２１】
フレーム部材６は、樹脂材料からなる略矩形の枠状部材である。一対の枠部分６ａには、後述するリンク部材３の回動軸部３２を回動可能に嵌入する軸受部６ｂが形成されている。また、フレーム部材６は、支持板５の孔５ａに挿入される脚部６ｃと、フレーム部材６が支持板５に取り付けられたときにメンブレンシート４の開口端４ａ及びドームラバー４ｂが貫通する貫通孔６ｄとを備えている。脚部６ｃが孔５ａに挿入されると、フレーム部材６の脚部６ｃを除くフレーム部材６の底の部分は支持板５の上面と接触する。
【００２２】
一対のリンク部材３は、矢印Ｘ１―Ｘ２方向に対となる構成であり、互いに同一の形状を有する。リンク部材３は樹脂で構成され、一端で互いに噛合して連動可能に組み合わされる。リンク部材３は、キートップ２が昇降の上限位置にあるときに側面視Ｖ字状を呈するＶ字ギアリンクの構成を有する。各リンク部材３は、互いに同一方向へ略平行に延びる一対の腕部３ａと、腕部３ａ間を連結する胴部３ｂとを備えている。
【００２３】
胴部３ｂから離隔する両腕部３ａの末端及びその周辺領域を、リンク部材３の第１端領域と定義する。また、胴部３ｂに隣接する両腕部３ａの基端及びその周辺領域を、リンク部材３の第２端領域と定義する。
【００２４】
各リンク部材３の第１端領域で且つ腕部３ａの内側面には、突起状の回動軸部３２が互いに設けられている。また、各リンク部材３の第２端領域で且つ腕部３ａの外側面には、突起状の摺動部３１が設けられている。
【００２５】
一方の腕部３ａの第１端領域には第１歯部３ｃが設けられ、他方の腕部３ａの第１端領域には第２歯部３ｄが設けられている。各リンク部材３は、回動軸部３２を軸受部６ｂに回動可能に嵌入し、かつ摺動部３１をガイド部２１に摺動可能に嵌入した状態で、メンブレンシート４とキートップ２との間に配置される。このとき、一方のリンク部材３の第１歯部３ｃと他方のリンク部材３の第２歯部３ｄとが互いに噛み合わされる。これにより、一対のリンク部材３は、連動して互いに回動軸部３２を中心として回動する。
【００２６】
メンブレンシート４は、フレーム部材６及びリンク部材３を支持板５に固定するための貫通孔４ｃと、開口端４ａとを有する。開口端４ａには、キートップ２を押下する力に対する反力を発生するドームラバー４ｂが装着される。
【００２７】
支持板５には、フレーム部材６の脚部６ｃを挿入し、フレーム部材６を固定するための４つの孔５ａが形成されている。孔５ａは貫通孔である。
【００２８】
上記構成のキースイッチ装置１を組み立てる場合、まず、軸受部６ｂに回動軸部３２が回動可能に嵌入される。そして、フレーム部材６の脚部６ｃが、メンブレンシート４に設けられた貫通孔４ｃａを介して支持板５の孔５ａに挿入され、かしめられる。そして、キートップ２のガイド部２１に摺動部３１が嵌め込まれる。次に、支持板５上にキートップ２、メンブレンシート４、リンク部材３及びフレーム部材６を装着した構造体を、図３のキーボード７に固定する。これにより、キースイッチ装置１の組み立てが完了する。
【００２９】
（ガイド部）
次に、図２、図４を参照しながら、本実施形態によるガイド部２１について詳しく説明する。図４は、図２の箇所Ｍの拡大断面図である。なお、図２、図４はキースイッチ装置１のキートップ２が押下されていない状態を示している。
【００３０】
以下、図２の図面左側に設けられたガイド部２１を例に取り説明する。図面右側のガイド部２１は、中心軸Ｋに対して図面左側のガイド部２１と対称となるように配置される。
【００３１】
ガイド部２１は、キートップ２の裏面の一部を形成する上辺部２１ａと、上辺部２１ａの一側端部から鉛直方向へ下垂する下垂辺２１ｂと、該下垂辺２１ｂから矢印Ｘ１側へ延在する下辺部２１ｃとを有している。
【００３２】
ところで、図１３に示したガイド部１１０は、上辺部１１０ａと水平片１１０ｃとが押下方向に直交する水平方向に延在したコ字形状の形成されている。しかし、本実施形態のガイド部２１は、少なくとも上辺部２１ａが、押下方向と直交する方向線Ｌに対して押下側に傾斜している。具体的に、上辺部２１ａは矢印Ｘ２方向又は中心軸Ｋ方向に向かって徐々に押下側に傾斜している。
【００３３】
本実施形態の上辺部２１ａの傾斜角度Ｆ１は、キートップ２が押下されていない状態のリンク部材３の腕部３ａの傾斜角度Ｆ２と同じであることが好ましい。また、上辺部２１ａの傾斜角度の最大値は、３０°未満であり、最小値は２５°以上である。
【００３４】
本実施形態のガイド部２１は、上辺部２１ａと下辺部２１ｃとが対応する形状に形成されている。図示例において、下辺部２１ｃの上面部も、上辺部２１ａと同様の傾斜角度Ｆ１となるように形成されている。
【００３５】
また本実施形態のガイド部２１は、上辺部２１ａと下垂辺２１ｂとの間に湾曲部２１ｄが形成されていてもよい。
【００３６】
＜動作＞
次に、図５〜図７を参照しながら、キースイッチ装置１の動作を説明する。なお、図５〜図７には本実施形態の効果を説明する為に、図１３に示したキースイッチ装置１００のガイド部１１０と摺動部１２０の動作と作用する力を併記している。
図５は、キースイッチ装置１の押下操作初期時のガイド部２１と摺動部３１の状態と、作用する力を説明した図である。（Ａ）はキースイッチ装置の全体図、（Ｂ）は（Ａ）の部分拡大図、（Ｃ）は図１３のキースイッチ装置１００の部分拡大図を示している。
図６は、キースイッチ装置１を押下操作している途中時のガイド部２１と摺動部３１の状態と、作用する力を説明した図である。（Ａ）はキースイッチ装置の全体図、（Ｂ）は（Ａ）の部分拡大図、（Ｃ）は図１３のキースイッチ装置１００の部分拡大図を示している。
図７は、キースイッチ装置１の押下操作終了時のガイド部２１と摺動部３１の状態と、作用する力を説明した図である。（Ａ）はキースイッチ装置の全体図、（Ｂ）は（Ａ）の部分拡大図、（Ｃ）は図１３のキースイッチ装置１００の部分拡大図を示している。
【００３７】
なお、図５〜図７で説明するキースイッチ装置１の動作は、キートップ２の操作面２ａの中央部分を押下操作した場合とする。
【００３８】
キースイッチ装置１を押下操作した直後の初期時には、図５（Ｂ）に示すように、摺動部３１とガイド部２１の上辺部２１ａとには、キートップ２からリンク部材３へ伝わる操作力Ｐ１と、リンク部材３の移動方向（リンク部材３の回転の接線方向）の力Ｑ１が作用している。従来例のキースイッチ装置においては、図５（Ｃ）に示すように摺動部１２０と上辺部１１０ａとには、キートップ１０１からリンク部材１０２へ伝わる操作力Ｓ１と、リンク部材１０２の移動方向の力Ｊ１が作用している。キースイッチ装置１００の場合、キースイッチ装置１００の降下時に摺動部１２０と上辺部１１０ａとに作用する操作力Ｓ１の向きと力Ｊ１の向きが大きくズレている。これは、図示したようにガイド部１１０の上辺部１１０ａと水平片１１０ｃとが押下方向と直交する水平方向に延在しているためである。力の向きのズレが大きいと、押下操作の初期動作時につっぱり感が生じて操作性が悪くなる。
【００３９】
本実施形態のガイド部２１は、上辺部２１ａと下辺部２１ｃが中心軸ｋに向かって徐々に押下側へ傾斜しているため、摺動部３１と上辺部２１ａとに作用する操作力Ｐ１の向きと力Ｑ１の向きのズレが、キースイッチ装置１００に比してかなり小さくなり、摺動部３１はリンク部材３の降下に伴ってガイド部２１内をスムーズにＸ１方向に移動することができる。したがって、本実施形態のキースイッチ装置１は、押下操作の初期動作時においてつっぱり感などが無いスムーズな押下操作をならしめる。
【００４０】
キースイッチ装置１を押下操作している途中では、図６（Ｂ）に示すように摺動部３１と上辺部２１ａとには、キートップ２からリンク部材３へ伝わる操作力Ｐ２と、リンク部材３の移動方向の力Ｑ２が作用している。図示例の通り、操作力Ｐ２の向きと力Ｑ２の向きは、略同じである。したがって、摺動部３１の外方（矢印Ｘ１方向）への移動がスムーズに行われるため、操作性が非常に良い。図６（Ｃ）に示す従来のキースイッチ装置１００の押下操作途中時における操作力Ｓ２と力Ｊ２は、図５（Ｃ）の操作力Ｓ１と力Ｊ１と略同じ大きさのズレが生じており、摺動部３１がスムーズに移動できずつっぱり感などが生じてしまう虞がある。
【００４１】
キースイッチ装置１の押下操作を終了した（押し切った）ときには、図７（Ｂ）に示すように摺動部３１と上辺部２１ａとには、操作力Ｐ３と、リンク部材３の移動方向の力Ｑ３が作用している。図示例の通り、操作力Ｐ３の向きと力Ｑ３の向きには若干のズレが生じているが、キートップ２を押下した後であるため、操作性に支障はない。図７（Ｃ）に示すキースイッチ装置１００の押下操作終了時における操作力Ｓ３と力Ｊ３の向きは、略同じであるが、キートップ２を押下した後であるため、操作性に対する効果は殆ど無い。
【００４２】
上記したように、本実施形態のキースイッチ装置１は、ガイド部２１の上辺部２１ａが押下側に向かうに従い傾斜している。また、下辺部２１ｃは上辺部２１ａと対応する形状とされている。そのため、摺動部３１と上辺部２１ａとに作用する操作力（Ｐ１〜Ｐ３）の向きと力（Ｑ１〜Ｑ３）の向きのズレが殆ど無くなり、リンク部材３の降下に伴って摺動部がガイド部２１内をスムーズに移動できる。したがって、キースイッチ装置１では押下操作の初期動作時においてつっぱり感などが無い、スムーズな押下操作を実現することができ、また、図５〜図７で説明したように押下操作の初期時から終了時に亘って、リンク部材３の降下に伴う摺動部３１の移動をスムーズに行わせることができ、押下操作の操作性を飛躍的に向上できる。
【００４３】
更に、本実施形態のキースイッチ装置１を備えたキーボード７は、操作性に優れ高速に打鍵しやすくなる効果を望める。
【００４４】
［第２の実施形態］
図８を用いて第２の実施形態のキースイッチ装置１'の説明をする。図８は、キースイッチ装置１'のガイド部２１と摺動部３１の拡大箇所を示す。拡大箇所は図２の箇所Ｍと同じである。なお、図８はキートップ２が押下されていない状態を示している。
【００４５】
以下に、第１の実施形態との相違点について説明し、共通する事項は省略する。また、共通する部材には共通の符号を付している。
【００４６】
キースイッチ装置１'は、ガイド部２１'の上辺部２１ａ'と下辺部２１ｃの形状が第１の実施形態と相違している。
即ち、ガイド部２１'の上辺部２１ａ'は、押下方向と直交する方向線Ｌ２に対して押下側に湾曲している。更に云うと、上辺部２１ａ'は、キートップ押下時の摺動部３１の移動方向（矢印Ｘ１方向）と反対方向に向かって徐々に押下側に湾曲している。
【００４７】
本実施形態のガイド部２１'でも、下辺部２１ｃ'は上辺部２１ａ'と同様の湾曲を有している。
【００４８】
上辺部２１ａ'と下辺部２１ｃ'に形成される湾曲形状は、摺動部３１の直径などにより異なるが、摺動部３１のガイド部２１'からの離脱を妨げない形状とされている。
【００４９】
＜動作＞
次に、図９〜図１１を参照しながら、キースイッチ装置１'の動作を説明する。なお図９〜図１１には本実施形態の効果を説明する為に、図１３に示したキースイッチ装置のガイド部１１０と摺動部１２０の動作と作用する力も併記している。
【００５０】
図９は、キースイッチ装置１'の押下初期のガイド部２１'と摺動部３１の状態と、作用する力を説明した図である。（Ａ）はキースイッチ装置の全体図、（Ｂ）は（Ａ）の部分拡大図、（Ｃ）は図１３のキースイッチ装置１００の部分拡大図を示している。
図１０は、キースイッチ装置１'を押下操作途中時のガイド部２１'と摺動部３１の状態と作用する力を説明した図である。（Ａ）はキースイッチ装置の全体図、（Ｂ）は（Ａ）の部分拡大図、（Ｃ）は図１３のキースイッチ装置１００の部分拡大図を示している。
図１１は、キースイッチ装置１'の押下操作終了時のガイド部２１'と摺動部３１の状態と、作用する力を説明した図である。（Ａ）はキースイッチ装置の全体図、（Ｂ）は（Ａ）の部分拡大図、（Ｃ）は図１３のキースイッチ装置１００の部分拡大図を示している。なお、図９〜図１１で説明するキースイッチ装置１'の動作は、キートップ２の操作面２ａの中央部分を押下操作した場合とする。
【００５１】
キースイッチ装置１'を押下操作した直後の初期時には、図９（Ｂ）に示すように、摺動部３１と上辺部２１ａ'とには、キートップ２からリンク部材３へ伝わる操作力Ｐ４と、リンク部材３の移動方向の力Ｑ４が作用している。一方、キースイッチ装置１００では図９（Ｃ）に示すように、摺動部１２０と上辺部１１０ａとには、キートップ１０１からリンク部材１０２へ伝わる操作力Ｓ４とリンク部材１０２の移動方向の力Ｊ４が作用している。キースイッチ装置１００の場合、キートップの降下時に摺動部１２０と上辺部１１０ａとに作用する操作力Ｓ４の向きと力Ｊ４の向きがズレている。
【００５２】
キースイッチ装置１'のガイド部２１'は、上辺部２１ａ'と下辺部２１ｃ'が押下側へ湾曲しているため、摺動部３１と上辺部２１ａ'とに作用する操作力Ｐ４の向きと力Ｑ４の向きにズレが無く、略同じであるため、摺動部３１は、リンク部材３の降下に伴ってガイド部２１'内をスムーズに移動することができる。したがって、キースイッチ装置１'は、押下操作の初期動作時につっぱり感などが無いスムーズな押下操作をならしめる。
【００５３】
キースイッチ装置１'を押下操作している途中では、図１０（Ｂ）に示すように摺動部３１と上辺部２１ａ'とには、キートップ２からリンク部材３へ伝わる操作力Ｐ５とリンク部材３の移動方向の力Ｑ５が作用している。図示例の通り、操作力Ｐ５の向きと力Ｑ５の向きは、略同じである。したがって、キートップの降下に伴う摺動部の外方への移動がスムーズに行なわれるため、操作性が非常に良い。図１０（Ｃ）に示すキースイッチ装置１００の押下操作途中時における操作力Ｓ５と力Ｊ５は、図９（Ｃ）の操作力Ｓ４と力Ｊ４と略同じ大きさのズレが生じており、摺動部３１の移動がスムーズに行えずツッパリ感などが生じてしまう虞がある。
【００５４】
キースイッチ装置１'を押し切ったときには、図１１（Ｂ）に示すように摺動部３１と上辺部２１ａ'とには、キートップ２からリンク部材３へ伝わる操作力Ｐ６とリンク部材３の移動方向の力Ｑ６が作用している。図示例の通り、操作力Ｐ６の向きと力Ｑ６の向きのズレは無く、略同じである。なお、図１１（Ｃ）に示すキースイッチ装置１００の押下操作終了時における操作力Ｓ６と力Ｊ６の向きは、略同じであるが、キートップ２を押下した後であるため、操作性に対する効果は殆ど無い。
【００５５】
上記してきたように本実施形態のキースイッチ装置１'は、ガイド部２１'の上辺部２１ａ'が押下側に向かって湾曲している。また、ガイド部２１'の下辺部２１ｃ'は上辺部２１ａ'と対応する湾曲形状を有している。
【００５６】
したがって、押下操作の初期時から終了時に亘って、摺動部３１と上辺部２１ａ'とに作用するキートップ２からリンク部材３へ伝わる操作力（Ｐ４〜Ｐ６）の向きと、リンク部材３の移動方向の力（Ｑ４〜Ｑ６）の向きを同じにすることができ、押下操作の初期動作時から終了時においてつっぱり感などが無いスムーズな押下操作を実現できる。更に、本実施形態のキースイッチ装置１'を備えたキーボード７は、操作性に優れ高速に打鍵しやすくなる効果を望める。
【００５７】
図１〜図１１で説明したキースイッチ装置１、１'の動作は、キートップ２の操作面２ａの中央部分を押下操作した場合の例である。
【００５８】
図１２に、第１及び第２の実施形態に係るキースイッチ装置１、１'（及び１００）において、キートップ２の操作面２ａの端部を押下操作した場合の、押下操作初期時の摺動部と上辺部とに作用する操作力とリンク部材の移動方向の力を示した。（Ａ）はキースイッチ装置１、１'の全体図、（Ｂ）は従来のガイド部１１０の部分拡大図、（Ｃ）は第１の実施形態のガイド部２１の部分拡大図、（Ｄ）は第２の実施形態のガイド部２１'の部分拡大図を示している。
【００５９】
図１２（Ｂ）に示すキースイッチ装置１００は、摺動部１２０と上辺部１１０ａとに作用するキートップ１０１からリンク部材１０２へ伝わる操作力Ｓ７の向きと、リンク部材１０２の移動方向の力Ｊ７の向きのズレは、図５（Ｃ）で示した操作力Ｓ１と力Ｊ１、図９（Ｃ）で示した操作力Ｓ４と力Ｊ４よりも大きくなっている。したがって、押下操作初期時のつっぱり感が大きくなる。
【００６０】
図１２（Ｃ）に示す第１の実施形態のキースイッチ装置１は、摺動部３１と上辺部２１ａとに作用するキートップ２からリンク部材３へ伝わる操作力Ｐ７の向きと、リンク部材３の移動方向の力Ｑ７の向きのズレは、図５（Ｂ）で示した操作力Ｐ１と力Ｑ１と略同じであり、操作性は中央部分を押下操作した場合と殆ど変わらない。
【００６１】
図１２（Ｄ）に示す第２の実施形態のキースイッチ装置１'は、摺動部３１上辺部２１ａ'とに作用するキートップ２からリンク部材３へ伝わる操作力Ｐ８の向きと、リンク部材３の移動方向の力Ｑ８の向きのズレは、図９（Ｂ）で示した操作力Ｐ４と力Ｑ４と略同じであり、操作性は中央部分を押下操作した場合と殆ど変わらない。
【００６２】
即ち、本実施形態のキースイッチ装置１、１'は、キートップ２の操作面２ａのどの位置で押下操作しても、押下操作の初期動作時から終了時においてつっぱり感などが無いスムーズな押下操作を実現できる。
【００６３】
以上、好ましい実施の形態について詳説したが、上述した実施の形態に制限されることはなく、特許請求の範囲に記載された範囲を逸脱することなく、上述した実施の形態に種々の変形及び置換を加えることができる。
【符号の説明】
【００６４】
１      キースイッチ装置
２      キートップ
２１    ガイド部
２１ａ  上辺部
２１ｂ  下垂辺
２１ｃ  下辺部
３      リンク部材
５      支持板
６      フレーム部材
７      キーボード
【図１】
2018166041.tif 000003
【図２】
2018166041.tif 000004
【図３】
2018166041.tif 000005
【図４】
2018166041.tif 000006
【図５】
2018166041.tif 000007
【図６】
2018166041.tif 000008
【図７】
2018166041.tif 000009
【図８】
2018166041.tif 000010
【図９】
2018166041.tif 000011
【図１０】
2018166041.tif 000012
【図１１】
2018166041.tif 000013
【図１２】
2018166041.tif 000014
【図１３】
2018166041.tif 000015